(57)【要約】      （修正有）【課題】繰り返し使用に伴う加熱面や型枠部材に歪みが生じた場合でも、それによる間隙の発生を抑え、被加熱食材の漏出を防止できる調理器具を提供する。【解決手段】調理器具１は、加熱面の上に載置した状態で食材を加熱調理する際に被加熱食材を所定の形状に成形するのに用いられるものであり、全周が加熱面に接する下端面４及び上方から流し込まれる被加熱食材と密接する内周面５を備えた環状体からなる型枠部材２と、上方より型枠部材２の上部に当接されまたは嵌め込まれ、当該型枠部材２の全周に対し均等に荷重を加える重錘部材３とからなる。型枠部材２はフッ素樹脂にて、また重錘部材３は金属又はその合金にて形成されている。型枠部材２と重錘部材３とは、相互に当接又は嵌合可能な接合面又は嵌合面２ａを備えており、両部材の接合面又は嵌合面２ａには、例えば嵌合突条又は嵌合突起とこれを受け入れる凹溝を設け、両部材が容易に分離しないように一体化することができる。【選択図】図１
0003219883.tif 000002
【実用新案登録請求の範囲】
【請求項１】
加熱面の上に載置した状態で食材を加熱調理する際に被加熱食材を所定の形状に成形するのに用いられるものであり、
全周が加熱面に接する下端面及び上方から流し込まれる被加熱食材と接する内周面を備えた環状体からなる型枠部材と、
上方より前記型枠部材の上部に当接されまたは嵌め込まれ、当該型枠部材の全周に対し均等に荷重を加える重錘部材とからなることを特徴とする調理器具。
【請求項２】
前記型枠部材及び前記重錘部材はそれぞれ互いに当接し又は嵌合する当接面又は嵌合面を備えてなる請求項１に記載の調理器具。
【請求項３】
前記重錘部材及び前記型枠部材のうちいずれか一方の嵌合面には嵌合突条又は嵌合突起が設けられ、他方の嵌合面には当該嵌合突条又は嵌合突起を受け入れる凹溝が設けられてなる請求項２に記載の調理器具。
【請求項４】
前記内周面は、加熱面に対して垂直または鋭角に形成されてなる請求項１〜３のいずれか１項に記載の調理器具。
【請求項５】
前記型枠部材は、フッ素樹脂からなる請求項１〜４のいずれか１項に記載の調理器具。
【請求項６】
前記型枠部材はＰＴＦＥからなる請求項５に記載の調理器具。
【請求項７】
前記型枠部材には、前記下端面の面積を拡大するようにその下端部より放射状にフランジ部が設けられてなる請求項１〜６のいずれか１項に記載の調理器具。
【請求項８】
前記重錘部材は銅、鉄、白金、金、銀、チタンの中から選択された少なくとも１種の金属またはこれらの合金であって人体に有害でないとされるものにより形成されてなる請求項１〜７のいずれか１項に記載の調理器具。
【請求項９】
前記重錘部材における金属の合金はステンレス鋼である請求項８に記載の調理器具。
【請求項１０】
前記重錘部材には、その上端部又は上端寄りに外側に放射状にフランジ部又は膨出部が設けられてなる請求項１〜９のいずれか１項に記載の調理器具。
【考案の詳細な説明】
【技術分野】
【０００１】
本考案は、加熱調理用補助器具、具体的には食材の焼き料理や蒸し焼き料理などの加熱調理において、加熱面に載置され、内部に投入され、調理中に加熱される食材を所定の形状に成形するのに用いられる簡単な構造の調理器具に関する。
【背景技術】
【０００２】
店舗や家庭において、フライパン、鉄板、石板などを加熱した上で、その加熱面に小麦粉と他の食材との加水混合物や鶏卵などの食材を流し込んで焼く際に、加熱調理中の食材（以下、被加熱食材という。）を固化させて所定の形状に成形することが行われている。例えば鶏卵を用いて卵焼きをつくる場合、リング状の外形形状からなる樹脂製型枠部材を加熱面に載置した上で、当該型枠部材内に鶏卵又は鶏卵を溶いたものを流し込み、そのまま蓋をして焼いたり、あるいは注水後に蓋をして蒸し焼きにしたりする。
【０００３】
しかしながら、特に店舗において鶏卵を用いて卵焼きを加熱調理するのに樹脂製の型枠部材を繰り返し使用すると、当該型枠部材や加熱面に徐々に歪みが現れ、その下端面と加熱面との間に生じた間隙を通して固化前の被加熱食材が漏れ出すことが起きていた。この漏れ出した食材の部分が加熱により焦げてしまい、結果的に料理にこの焦げが混入するという問題があった。
【先行技術文献】
【特許文献】
【０００４】
【特許文献１】特開２０１６−１０６５２９号公報
【考案の概要】
【考案が解決しようとする課題】
【０００５】
本考案は、前記事情に鑑み、繰り返し使用に伴う加熱面や型枠部材の歪みによって間隙が生じるのを抑え、被加熱食材が漏出するのを防止できる調理器具を提供することを目的とする。
【課題を解決するための手段】
【０００６】
前記目的は、本考案の一局面によれば、加熱面の上に載置した状態で食材を加熱調理する際に被加熱食材を所定の形状に成形するのに用いられるものであり、全周が加熱面に接する下端面及び上方から注がれる被加熱食材と接する内周面を備えた環状体からなる型枠部材と、上方より前記型枠部材の上部に当接されまたは嵌め込まれ、当該型枠部材の全周に対し均等に荷重を加える重錘部材とからなることを特徴とする調理器具によって達成される。
【０００７】
前記型枠部材は、平面視円形の円環（リング）状体のほか、平面視三角形の三角環状体、平面視四角形の四角環状体などの周方向に直交する軸線に平行に上下に貫通する開口を中央に備え、縦断面が同一の形状を備えた環状体である。そして、型枠部材は、内部に流し込まれた食材がそこに溜まるように全周が加熱面に接する下端面を備え、また加熱中の食材（被加熱食材）と接する内周面を備えている。
【０００８】
内周面は、加熱面に対して垂直あるいは上方に向けて開口直径が小さくなるように鋭角に形成することができる。内周面をこのように形成することで、加熱調理後に加熱面に被加熱食材を残した状態で本考案の調理器具を容易に引き上げることができる。型枠部材を耐熱性及び表面の滑り性を備える樹脂にて形成することで、被加熱食材の取り出しが容易になる。
【０００９】
前記重錘部材は、前記型枠部材の上部に当接されまたは嵌め込まれ、当該型枠部材の全周に対し均等に荷重を加えるものであり、所定の金属またはその合金であって人体に有害でないとされるものにより形成できる。
【００１０】
前記型枠部材及び前記重錘部材はそれぞれ互いに接合され又は嵌め込まれる接合面又は嵌合面を備えることができ、前記重錘部材の嵌合面にはその円周方向に嵌合突起または嵌合突条を設け、前記型枠部材の嵌合面にはその円周方向に前記嵌合突起または前記嵌合突条が嵌め込まれる凹溝を設けて両部材が通常の加熱調理中に分離しないようにしてもよい。
【考案の効果】
【００１１】
本考案の調理器具は、型枠部材の上部に重錘部材を載置又は嵌め込み、これにより当該型枠部材の全周に対し適度に荷重を加えることで、型枠部材や加熱面の歪みによってこれらの間に生じる間隙を抑制し、被加熱食材の漏出を未然に防止できる。
【図面の簡単な説明】
【００１２】
【図１】本考案の調理器具の一実施形態を示す図であり、（ａ）は斜視図、（ｂ）は縦断面図である。
【図２】本考案の調理器具の別の実施形態のいくつかを示す縦断面図である。
【考案を実施するための形態】
【００１３】
次に、添付の図１〜図２を参照して、本考案の調理器具の実施形態について詳細に説明する。図１（ａ）及び図１（ｂ）に示すように、本実施形態の調理器具１は平面視円形のリング状体からなり、図２に示す実施形態もまたリング状体の調理器具の縦断面図を示している。なお、前記の通り本考案は、その他の三角杆状体、四角環状体などからなる調理器具であってもよい。
【００１４】
（１）型枠部材２
本実施形態における型枠部材２は、内部に上方から流し込まれた食材が型枠部材２と加熱面（不図示）との間から漏れ出さないように、全周が加熱面に密接する平坦な下端面４を備えている。また、型枠部材２は、流し込まれた被加熱食材と密接する内周面５を備えている。内周面５は、加熱面に対して垂直に形成され、又は上方に向けて開口が絞られるように鋭角に形成されている。内周面５をこのように形成することで、被加熱食材を型枠部材２より容易に取り外すことができるようになる。型枠部材２の外周には、後述する重錘部材３と嵌合する傾斜面が嵌合面２ａとして形成されている。型枠部材２における内周面５の高さと開口直径とから求められる内容積は、これに流し込まれる食材のボリュームと略同等かそれよりも僅かに大きく設定できる。
【００１５】
型枠部材２の材質としては、加熱面の表面温度（店舗などでは約２５０℃程度となる。）や輻射による加熱面近傍の空気温度に応じて、高い耐熱性を備え、人体に対して有害な成分の溶出などを生じないフッ素樹脂を使用できる。フッ素樹脂のうちでは、前記特性を備えるとともに表面滑り性にも優れるポリテトラフルオロエチレン（ＰＴＦＥ）樹脂が好適に使用できる。フッ素樹脂の成形には、使用するフッ素樹脂の特性や成形品の形状等を考慮して従来公知の成形方法を採用できるが、特にＰＴＦＥを用いた本考案の調理器具の成形には通常、圧縮成形方法が用いられる。そうし得られる成形体をさらに切削加工し、所定の形状に仕上げればよい。
【００１６】
本実施形態の型枠部材２にはまた、その下端部より放射状にフランジ部２ｂが設けられている。フランジ部２ｂの突出長さや軸線方向の幅（高さ）は適宜設定できる。このフランジ部２を設けることにより、加熱面と接する下端面４の面積を拡大できる。また、重錘部材３にも同様にフランジ部又は膨出部３ｂが設けられる場合には、本考案の調理器具を複数の貫通孔が配列穿孔された板状の冶具の当該貫通孔のそれぞれに固定できるようになり、加熱面上で同時に食材の複数個の加熱調理が可能になるので、結果として店舗などでの被加熱食材の量産にとって好都合となる。
【００１７】
（２）重錘部材３
本実施形態における重錘部材３は、型枠部材２の嵌合面２ａと嵌合する嵌合面３ａを備え、縦断面が同一形状とされたリング状に形成されている。このような形状に形成することで、型枠部材２と一体化してその全周に対して均等に荷重を加えることができ、結果として繰り返し使用によって型枠部材２などに生じた歪みに起因する間隙を抑制することができ、それによって型枠部材２の加熱面への密着を良好にすることができる。
【００１８】
重錘部材３としては、重錘として高い比重を有し、人体に対して有害ではない金属であれば特に制限なく使用できるが、例えば銅、鉄、白金、金、銀、チタンから選択された少なくとも１種の金属などを用いることができる。前記金属の合金も使用可能であるが、その場合には人体に対する有害性を確認する必要がある。これらのうちでは、鉄の合金であるステンレス鋼が好ましく使用できる。
【００１９】
重錘部材３のサイズは、型枠部材２の形状やサイズの大小にもよるが、型枠部材２や加熱面に生じる歪みを矯正し間隙の発生を抑制できる程度に設定するのがよい。そのために、型枠部材２の形状やサイズを設定した後に、実際に加熱調理に繰り返し使用しながら、生じる間隙を抑制できるか否か試行錯誤を行い、重錘部材３の材質やサイズを決定するのがよい。
【００２０】
重錘部材３には、その上端部又は上端寄りに外側に放射状にフランジ部３ｂ又は膨出部３ｂ（説明を簡便にするために、フランジ部と同一の符号を用いることとする。）が設けられている。重錘部材３と型枠部材２とがそれぞれの嵌合面２ａ、３ａを嵌合して一体化することで、本実施形態の調理器具１を加熱面に載置し又は加熱面から引き上げる際に型枠部材２から重錘部材３が脱落することがない。
【００２１】
図２（ａ）は、型枠部材及び重錘部材が図１に示す実施形態と同様の機能を果たす本考案の調理器具の別の実施形態の縦断面図を示している。この図に示す実施形態では、重錘部材３の嵌合面３ａにその円周方向に嵌合突条７を設けることができる。本実施形態における嵌合突条７は略半円形の断面形状を備えるが、これに限定されず、嵌合突条７の断面形状は適宜設定できる。この場合、同図に示すように、型枠部材２の嵌合面２ａにその円周方向に嵌合突条７がちょうど嵌め込むことができる凹溝６を設けることができる。凹溝６の断面形状は、嵌合突条７の断面形状に合わせて形成できる。このように型枠部材２の嵌合面２ａに凹溝６を設け、重錘部材３の嵌合面３ａに突条７を設けることで、型枠部材２と重錘部材３とがより一体化でき、さらに本実施形態の調理器具１を加熱面に載置し又は加熱面から引き上げる際に型枠部材２から重錘部材３が脱落することがない。重錘部材３における突条７は、嵌合面３ａの円周方向に等間隔で設けられた少なくとも１つの突起であってもよい。また、不図示の別の実施形態として、型枠部材２に突条又は突起を、重錘部材３に凹溝を設けて両者が嵌合するようにしてもよい。
【００２２】
図２（ｂ）は、本考案の調理器具のさらに別の実施形態の縦断面図を示している。この図に示す実施形態では、リング状体である型枠部材２は、全高さにわたり平坦に形成された内周面５を有し、外周面は開口方向下端面４側に相対的に肉厚大径の部分、略中間から上端にわたり相対的に薄肉小径の部分からなる円筒状体である。また、大径の部分の下端側にはフランジ部２ｂが設けられている。また、重錘部材３は、型枠部材２の小径の部分に外嵌可能な筒状を呈している。型枠部材２の上端部の外周及び重錘部材３の下端部の内周はそれぞれ嵌め込みやすいように面取りが施されている。型枠部材２に重錘部材３を嵌合した状態では、上下両端にフランジ部２ｂ、３ｂを備える筒状体が形成される。なお、図２（ａ）に示すように、型枠部材２及び重錘部材３のそれぞれの嵌合面２ａ、３ａに嵌合突条（突起）や凹溝を設けることができる。
【００２３】
図２（ｃ）は、本考案の調理器具のさらに別の実施形態の縦断面図を示している。この図に示す実施形態では、上端に接合面２ａを、下端にフランジ部２ｂ及び下端面４を有する円筒状の型枠部材２と、縦断面の形状が円形のリング状である重錘部材３とからなる。接合面２ａは、重錘部材３の円形の断面と同径の断面円弧状の曲面に形成され、重錘部材３がこの接合面２ａにちょうど載置できるようになっている。本実施形態の調理器具１は、これを加熱調理後に加熱面に被加熱食材を残した状態で垂直に引き上げるように設計されており、主に家庭などで用いることができる。また、重錘部材３を型枠部材２に従来公知の係止方法によって固定できるようにしてもよい。この場合、型枠部材２の外周から膨出している重錘部材３の膨出部がフランジ部として機能することになる。なお、型枠部材２の断面形状は本実施形態の円形に限定されず、例えば逆三角形、楕円形などの公知の形状に設定してもよい。また、図２（ａ）に示すように、型枠部材２及び重錘部材３のそれぞれの嵌合面２ａ、３ａに嵌合突条（突起）や凹溝を設けることができる。
【００２４】
図２（ｄ）は、本考案の調理器具のさらに別の実施形態の縦断面図を示している。この図に示す実施形態では、型枠部材２は、その外周の嵌合面２ａにおいてその上端から順にその全周にわたり肉厚部８及び凹溝６が設けられ、その内周に全高さにわたり平坦な内周面５を備えるとともに、下端面４を備えている。また、重錘部材３は、その内周の嵌合面３ａの高さ方向中間の領域に全周にわたり型枠部材２の肉厚部８及び凹溝６のそれぞれにちょうど嵌り合う凹溝９及び嵌合突条７を上から順に備えている。重錘部材３の外径は、型枠部材２の嵌合面２ａのそれよりも相対的に大径に形成され、フランジ部３ｂとして機能している。
【００２５】
以上説明したように、本考案の調理器具は、全周が加熱面に接する下端面及び上方から流し込まれる被加熱食材と密接する内周面を備えた環状体からなる型枠部材と、上方より前記型枠部材の上部に当接されまたは嵌め込まれ、当該型枠部材の全周に対し均等に荷重を加える重錘部材とで構成しているので、本考案の調理器具を繰り返し使用し型枠部材や加熱面が歪んだとしても、当該歪みを矯正して両者の間に間隙を生じないようにしたので、食材を加熱調理する際に、従来の調理器具のような被加熱食材の漏出の問題が生じない。
【００２６】
なお、本考案は、以上の実施形態に限定されず、本考案の範囲を逸脱しない範囲で変更することができる。すなわち、請求項に示した範囲で適宜変更した技術的手段を組み合わせて得られる実施形態についても本考案の技術的範囲に含まれる。例えば、図１及び図２（ｂ）~図２（ｄ）に示す実施形態の調理器具において、型枠部材及び重錘部材の嵌合面又は接合面に嵌合突条や凹溝を備えより一体化することができる。また、図１及び図２に示す実施形態では、いずれもフランジ部２ｂ、３ｂを備えた調理器具を示すが、フランジ部は本考案においては設けなくともよい。
【符号の説明】
【００２７】
１  調理器具
２  型枠部材
２ａ  接合面（篏合面）
２ｂ  フランジ部
３  重錘部材
３ａ  接合面（篏合面）
３ｂ  フランジ部
４  下端面
５  内周面
６  凹溝
７  嵌合突条
８  肉厚部
９  凹溝
【図１】
0003219883.tif 000003
【図２】
0003219883.tif 000004